(57)【要約】【課題】  チューナモジュールから出力される映像および音声情報が途切れてしまうことを抑制することができるチューナモジュールのシールド構造およびそれを備える受信装置を提供する。【解決手段】  導電体によって形成され、各端子１１，１２，１３を外部に露出させた状態で、チューナモジュール２を外囲している第１シールド体３と、チューナモジュール２、第１シールド体３および複数の実装部品１７が設けられる配線基板４と、導電体によって形成され、第１シールド体３に接触する接触部２７が設けられて、第１シールド体３とともに複数の実装部品１７のうちシールドすべき実装部品１７を覆って配線基板４に設けられ、配線基板４のグランド部に接続されている第２シールド体５とを備えている。【選択図】      図１
2009188956.tif 000002
【特許請求の範囲】
【請求項１】
信号入出力用、電力供給用およびグランド接続用の端子と、
前記信号入出力用の端子から放送信号を受信し、予め定める処理を施して出力するチューナモジュールと、
導電体によって形成され、前記チューナモジュールを収納している第１シールド体と、
前記チューナモジュール、前記第１シールド体および複数の実装部品が設けられ、前記信号入出力用、前記電力供給用およびグランド接続用の端子を介して前記チューナモジュールと接続される信号配線部、電力供給配線部および第１シールド体が接続されるグランド部が形成されている配線基板と、
導電体によって形成され、前記第１シールド体に接触する接触部が設けられて、前記第１シールド体とともに複数の実装部品のうちシールドすべき実装部品を覆って前記配線基板に設けられ、前記グランド部に接続されている第２シールド体とを備えていることを特徴とするチューナモジュールのシールド構造。
【請求項２】
前記接触部は、前記第２シールド体の一部を切り起こして形成されていることを特徴とする請求項１に記載のチューナモジュールのシールド構造。
【請求項３】
前記接触部は、前記第１シールド体を前記配線基板に向かって押圧する板ばねによって形成されていることを特徴とする請求項１または２に記載のチューナモジュールのシールド構造。
【請求項４】
前記配線基板には、アンテナと接続される端子を有するコネクタ部が設けられ、
前記コネクタ部の端子は、前記基板に形成される前記信号配線部を介して前記チューナモジュールに接続され、
前記第２シールド体は、前記チューナモジュールとともに、前記コネクタ部の端子部と、前記信号配線部のうち、前記コネクタ部の端子部および前記チューナモジュールを接続する配線部分とを一体的に覆うことを特徴とする請求項１〜３のいずれか１つに記載のチューナモジュールのシールド構造。
【請求項５】
請求項１〜４のいずれか１つに記載のチューナモジュールのシールド構造を備えることを特徴とする受信装置。
【発明の詳細な説明】
【技術分野】
【０００１】
本発明は、チューナモジュールにおけるノイズの影響を抑制するチューナモジュールのシールド構造およびそれを備える受信装置に関する。
【背景技術】
【０００２】
放送電波などの映像および音声情報を含む電波を受信し、映像を映し出し音声を出力するテレビジョン受信機では、複数の放送電波などの情報を含む電波を受信し選局するためのチューナが内蔵されている。前記チューナは、種々のテレビジョン受信機などで用いることができるようにモジュール化されている。チューナモジュールに、このチューナモジュールが設けられるテレビジョン受信機などの基板の配線からノイズが与えられたり、外部空間から到来する電波によってノイズが与えられたりして、処理中の信号にノイズが混入してしまうと、出力される映像および音声情報が途切れてしまう。このためチューナモジュールに与えられるノイズの影響を低減する必要がある。
【０００３】
第１の従来の技術のシールド構造では、回路基板のグランドに接地されて電気回路の一部をシールドするシールドケースを回路基板に設けている。シールドケースの天井部には、この天井部の一部を切り起こして形成された切り起こし片が設けられる。回路基板を収容する筐体のうち、シールドケースが形成されている回路基板の面に面する部分が導体によって形成されている。前記導体によって形成される部分に切り起こし片が押圧接触して、筐体部分が押圧接触部とシールドケースとを介して回路基板のグランドに接地される（たとえば特許文献１参照）。
【０００４】
また第２の従来の技術では、車載用電子装置において、電気的ノイズの悪影響を防止するために、基板のグランドパターンと、基板を筐体とを接点ばねによって電気的に接続している（たとえば特許文献２参照）。
【０００５】
【特許文献１】特開２００７−１２３７２２号公報
【特許文献２】特開２００７−３１４０２６号公報
【発明の開示】
【発明が解決しようとする課題】
【０００６】
第１の従来の技術では、筐体のうち導体によって形成されている部分にシールドケースが接続されてはいるが、天井部には隙間が形成されてしまうので、シールドケース内にチューナモジュールを配置したとしても、シールドケースの上部に隙間ができ、筐体の内部で基板上に設けられる電気部品からの影響によってチューナモジュールにノイズが与えられてしまい、十分なノイズ抑制効果を達成することができない。またシールドケースの隙間を半田などの導体材料によって塞ぐことも考えられるが、それでは加工に手間がかかってしまう。
【０００７】
また第２の従来の技術において、基板にチューナモジュールを形成し、前記基板のグランドパターンと筐体とを接点ばねによって接続するだけでは、チューナモジュールのみをシールドしているものではないので、基板上に設けられる電気部品からの影響によってチューナモジュールにノイズが与えられ、十分なノイズ抑制効果を達成することができない。
【０００８】
したがって本発明の目的は、チューナモジュールから出力される映像および音声情報が途切れてしまうことを抑制することができるチューナモジュールのシールド構造およびそれを備える受信装置を提供することである。
【課題を解決するための手段】
【０００９】
本発明（１）は、  信号入出力用、電力供給用およびグランド接続用の端子と、
前記信号入出力用の端子から放送信号を受信し、予め定める処理を施して出力するチューナモジュールと、
導電体によって形成され、前記チューナモジュールを収納している第１シールド体と、
前記チューナモジュール、前記第１シールド体および複数の実装部品が設けられ、前記信号入出力用、前記電力供給用およびグランド接続用の端子を介して前記チューナモジュールと接続される信号配線部、電力供給配線部および第１シールド体が接続されるグランド部が形成されている配線基板と、
導電体によって形成され、前記第１シールド体に接触する接触部が設けられて、前記第１シールド体とともに複数の実装部品のうちシールドすべき実装部品を覆って前記配線基板に設けられ、前記グランド部に接続されている第２シールド体とを備えていることを特徴とするチューナモジュールのシールド構造である。
【００１０】
本発明（５）は、前記チューナモジュールのシールド構造を備えることを特徴とする受信装置である。
【発明の効果】
【００１１】
本発明（１）によれば、第１シールド体は、配線基板に形成されているグランド部に電気的に接続されており、さらに接触部を介して、第１シールド体を覆う第２シールド体にも電気的に接続されている。チューナモジュールは、第１および第２シールド体によって二重にシールドされ、さらに第２シールド体は、配線基板のグランド部に接続されているので、第１シールド体は、グランド部に直接接続されるだけではなく、接触部および第２シールド体を介して、グランド部に電気的に接続されている。したがって、第１シールド体のグランド部への接続を強化することができ、チューナモジュールに与えられるノイズを抑制することができるので、チューナモジュールから出力される映像および音声情報が途切れてしまうことを抑制することができる。
【００１２】
第２シールド体は、第１シールド体だけではなく、複数の実装部品のうちシールドすべき実装部品とを覆って配線基板に形成されているので、シールドすべき実装部品からのノイズが、残余の実装部品に伝播することを抑制することができるとともに、シールド体を個別に設けるよりも、部品点数を少なくすることができ、組み立て性を向上させることができる。
【００１３】
本発明（５）によれば、前記チューナモジュールのシールド構造を備えるので、映像および音声情報の受信が途切れてしまうことが抑制され、信頼性の向上された受信装置を実現することができる。受信装置は、たとえばテレビジョン放送用の受信装置、ラジオ放送用の受信装置などである。
【発明を実施するための最良の形態】
【００１４】
図１は、チューナモジュールのシールド構造１の構成を示す斜視図であり、図２は図１の切断面線ＩＩ−ＩＩから見たチューナモジュールのシールド構造１の断面図である。チューナモジュールのシールド構造１は、アンテナに接続され、電波によって伝送される情報を受信するテレビジョン放送用の受信装置、ラジオ放送用の受信装置などの受信装置に用いられる。チューナモジュールのシールド構造（以下、シールド構造という）１は、チューナモジュール２と、第１シールド体３と、配線基板４と、第２シールド体５と、信号入出力用の端子１１と、電力供給用の端子１２と、グランド接続用の端子１３とを含んで構成される。
【００１５】
チューナモジュール２には、信号入出力用の端子１１、電力供給用の端子１２およびグランド接続用の端子１３が設けられ、チューナモジュール２は信号入出力用の端子１１から放送信号を受信し、予め定める処理を施して出力する。チューナモジュール２は、チューナ用基板１０に複数の電子部品１４が実装されて構成される。複数の電子部品１４は、チューナ用基板１０に形成される配線によって接続されて電気回路を構成する。本実施の形態では、チューナモジュール２は、デジタルテレビジョン放送用であり、前記チューナモジュール２は、指定された周波数の信号を選局するチューナ部、変調波を復調する復調部、および誤り訂正の処理を行う訂正処理部を含んで構成される。本実施の形態では、前記チューナモジュール２は、デジタルテレビジョン放送用としているが、本発明の他の実施の形態では、前記チューナモジュール２は、アナログテレビジョン放送用またはラジオ放送用であってもよく、たとえば、アンテナを介して放送帯域に対応した所望周波数の信号を受信するとともに受信した信号から所要の信号だけを選択して高周波増幅し、中間周波信号に変換した映像信号を出力する回路構成とすればよい。
【００１６】
またチューナ用基板１０に形成されている信号用の配線部の所定の部位に、信号入出力用の端子１１がそれぞれ接続され、チューナ用基板１０に形成されている電力供給用の配線部に、電力供給用の端子１２が接続され、チューナ用基板１０に形成されているグランド用の配線部に、グランド接続用の端子１３が接続されている。信号入出力用の端子１１、電力供給用の端子１２およびグランド接続用の端子１３は、配線基板４に臨むチューナ用基板１０の一表面部から突出して設けられる。信号入出力用の端子１１、電力供給用の端子１２およびグランド接続用の端子１３は、ピン部材によって実現される。
【００１７】
第１シールド体３は、信号入出力用の端子１１、電力供給用の端子１２およびランド接続用の端子１３を該第１シールド体３の外部に露出させた状態で、チューナモジュール２を収納する。第１シールド体３は、導電性を有し、たとえばアルミニウム合金などの金属によって形成されている。つまり第１シールド体３は、チューナモジュール２を外囲し、チューナ用基板１０の厚み方向の一表面および他表面の両面に臨み、さらに、側面にも臨んでいる。第１シールド体３には、複数の貫通孔が形成され、信号入出力用の端子１１、電力供給用の端子１２およびグランド接続用の端子１３は、前記貫通孔をそれぞれ挿通して第１シールド体３の外部に露出する。前記貫通孔は、挿通される信号入出力用の端子１１、電力供給用の端子１２およびグランド接続用の端子１３の太さよりもわずかに大きく形成される。グランド用接続の端子１３は、第１シールド体３に接触させて設けてもよいが、信号入出力用の端子１１および電力供給用の端子１２と、第１シールド体３とは、離間して設けられ、たとえば前記貫通孔に臨む第１シールド体３の内周部に電気絶縁性を有する樹脂部材を設けて、電気的に絶縁される。第１シールド体３は、略直方体形状に形成され、その配線基板４に臨む一表面部から信号入出力用の端子１１、電力供給用の端子１２およびグランド接続用の端子１３が外方に突出する。第１シールド体３は、配線基板４のグランド部に直接接続されているが、チューナ用基板１０のグランド用の配線部に直接接続され、グランド接続用の端子１３を介して、配線基板４のグランド部に電気的に接続されていてもよい。
【００１８】
配線基板４には、チューナモジュール２、第１シールド体３およびコネクタ部１６ならびに複数の実装部品１７が実装される。前記チューナモジュール２および第２シールド体３ならびにコネクタ部１６は、配線基板４の厚み方向の一表面部４ａ上に設けられる。コネクタ部１６は、アンテナと接続される端子部１５を有する。複数の実装部品１７は、チューナモジュール２から出力される映像信号に、ＤｅＭＵＸ処理、複合化処理などの予め定める処理を施す処理回路を構成する電子部品２３とを含んで構成される。
【００１９】
コネクタ部１６は、前記端子部１５を保持する保持部１８を有し、保持部１８は電気絶縁性を有する合成樹脂によって形成されている。保持部１８には、外部コネクタ部が挿入される挿入孔１９が形成されている。保持部１８は、有底筒状に形成され、底壁部分２１と筒状部分２２とを有する。保持部１８は、筒状部分２２の外周面を配線基板４の一表面部４ａに接触させて、配線基板４に固定して設けられている。各保持部１８は、前記挿入孔１９の開口が配線基板４の厚み方向に垂直な方向に臨んで配置されている。各保持部１８は、耐熱性を有する接着剤を用いて配線基板４に固定されてもよく、外周部にねじ孔が形成されているねじ止め片が一体に形成され、前記ねじ孔にねじを挿通して、ねじによって配線基板４に固定されてもよい。コネクタ部１６は、配線基板４の周縁部に設けられている。
【００２０】
配線基板４は、多層配線基板であって、プリント配線基板またはセラミック配線基板によって実現され、信号入力用の端子１１が接続される信号配線部と、電力供給用の端子１２が接続される電力配線部と、グランド接続用の端子１３および第１シールド体３が接続されているグランド部を有する。信号入力用の端子１１、電力供給用の端子１２、グランド接続用の端子１３および第１シールド体３は、半田によって信号配線部、電力配線部またはグランド部に接続され、配線基板４に固定されている。信号配線部は、複数の信号配線を備え、電力配線部は、複数の電力配線を備え、グランド部は複数のグランド配線を備える。信号配線、電力配線およびグランド配線は、チューナモジュール２と、予め定める実装部品１７を接続したり、予め定める実装部品１７同士を接続するために配線基板４の所定の位置に形成されている。図１および図２では、図が煩雑となることを防止するために、信号配線部、電力配線部およびグランド部の図示を省略している。
【００２１】
コネクタ部１６の端子部１５は、底壁部分２１に設けられて、挿入孔１９に一端部が露出し、他端部が配線基板４の信号配線部の所定の信号配線に接続されて、チューナモジュール２の信号入力用の端子１１に電位的に接続される。
【００２２】
第２シールド体５は、チューナモジュール２とともに、少なくともアンテナと接続される端子部１５と、その端子部１５とチューナモジュール２とを接続する配線部分とを覆って配線基板４の一表面部４ａ上に設けられる。本実施の形態においてシールドすべき実装部品１７は、コネクタ部１６である。第２シールド体５は、チューナモジュール２およびコネクタ部１６の端子部１５と、信号配線部のうち、コネクタ部１６の端子部１５およびチューナモジュール２を接続する配線部分とを一体的に覆う。第２シールド体５は、コネクタ部１６の挿入孔１９を塞がないようにコネクタ部１６を覆う。第２シールド体５は、導電性を有し、たとえばアルミニウム合金などの金属によって形成されている。第２シールド体５は、配線基板４のグランド部に接続されている。コネクタ部１６は、全てが覆われていなくてもよく、端子部１５が覆われていればよい。コネクタ部１６には、アンテナからアナログ信号が与えられ、アナログ信号が伝送される配線部分は、ノイズの発生源となりやすいので、第２シールド体５によって覆うことによって、配線基板４上に形成される他の電気回路に与えるノイズを低減することができる。
【００２３】
第２シールド体５は、配線基板４と接触する部分の全てがグランド部と接続されることが好ましいが、一部分がグランド部と接続されていてもよく、たとえば半田によってグランド部に接続されて、配線基板４に固定される。第２シールド体５は、ねじなどを用いて配線基板４に固定されてもよい。
【００２４】
第２シールド体５は、配線基板４との間でチューナモジュール２を、完全に覆い隠すほうがノイズをシールドするためには好ましいが、第２シールド体５にはチューナモジュール２が動作中に発する熱を放出するための開口２５が形成されていてもよい。開口２５は、チューナモジュール２とコネクタ部１６の間の領域が外部に連通するように、第２シールド体５のうち、配線基板４と接触する側壁部２６に設けられる。この開口２５は、第２シールド体５の１つの側面（側壁部）に形成されていても、両側面に形成されていてもよいが、熱を放出するためには両側面に形成されるのが好ましい。この開口２５から、チューナモジュール２の一部分が露出してもよいが、露出はできるだけ少なくなうように開口２５が形成される。
【００２５】
第２シールド体５には、接触部２７が設けられる。第２シールド体５のうち、前記接触部２７を除く残余の部分は、第１シールド体３から離間して設けられている。接触部２７は、第２シールド体の一部を切り起こして形成されている。第２シールド体５のうち、第１シールド体３を挟んで配線基板４とは反対側の領域に形成される部分３１に前記接触部２７が設けられる。接触部２７は、第１シールド体３を配線基板４に向かって押圧する板ばねによって構成される。接触部２７をこのような板ばねによって構成することによって、接触部２７と第１シールド体３との接触を確実に行うことができる。第２シールド体５は、板状体を折り曲げ加工することによって構成され、接触部２７は、この接触部２７を形成すべき部分の周囲をＵ字形状に打ち抜き、形成されたＵ字形状の孔に囲まれる部分を、第１シールド体３に向かう方向に折り曲げることによって形成される。第２シールド体５の前記部分３１は、第１シールド体３の配線基板４とは反対側の表面から離間し、前記表面に沿って形成されている。
【００２６】
図３は、接触部２７を拡大して示す断面図である。接触部２７は、第２シールド体５の接触部２７を除く部位に連なる部分から、第１シールド体３に向かう方向に直線状に傾斜する傾斜部分３０と、傾斜部分３０の遊端部に連なり、第１シールド体３から離間する方向に湾曲する当接部３２とを備える。傾斜部分３０の第１シールド体３の当接面３３に対する傾斜角度θは、鋭角となるように選ばれ、好ましくは、３０°以下となるように選ばれる。これによって第１よび第２シールド体３，５の間隔に比べて、傾斜部分３０の基端部から遊端部までの長さを長くすることができ、傾斜部分３０を撓ませて、第１シールド体３に確実に当接させることができる。たとえば、車両などの移動体にチューナモジュールのシールド構造１を有する受信装置が設けられる場合には、振動によって、第１シールド体３および第２シールド体５の相対的な位置がずれたとしても、この位置ずれに応じて前記接触部２７が弾発的に第１シールド体３に当接するので、接触状態が維持され、第１シールド体３の第２シールド体５を介してのグランド部への電気的な接続の信頼性が向上される。
【００２７】
また当接部３２を湾曲させることによって、第１シールド体３および第２シールド体５の相対的な位置がずれたときの、当接部３２と第１シールド体３との接点の変位が許容され、当接部３２に不所望な負荷が生じることが抑制される。
【００２８】
当接部３２を切り起して形成することによって、部品点数を少なくことができ、接触部２７を第２シールド体５とは別部材で構成する場合と比較して、組み立て工程を低減することができる。さらに第２シールド体５を配線基板４に取付けたときに、接触部２７が露出し、接触部２７と第１シールド体３の接触状態を第２シールド体５の外方から確認することができるので、検査工程についても簡素化することができる。また第２シールド体５を切り起こして形成することによって、接触部２７の周囲には、第２シールド体５に隙間ができてしまう。しかしながら、前記隙間は、幅が２ｍｍ〜１５ｍｍ程度であり、第２シールド体５のシールド特性に与える影響はわずかである。
【００２９】
チューナモジュール２は、その処理動作を行うときに発熱し、発生した熱は第１シールド体３に伝導する。接触部２７は、第１シールド体３のうちチューナモジュール２からの熱が伝導しやすい部位に接続されるのが好ましい。第２シールド体５は、第１シールド体３の熱を伝導するヒートシンクとしても機能する。したがって、前記部位に接触部２７を接触させることによって、第１シールド体３の熱を効率的に第２シールド体５に伝導することができ、チューナモジュール２を冷却を円滑に行うことができるので、さらに動作を安定させることができる。
【００３０】
以上のように本実施の形態によれば、第１シールド体３は、配線基板４に形成されているグランド部に電気的に接続されており、さらに接触部２７を介して、第１シールド体３を覆う第２シールド体５にも電気的に接続されている。チューナモジュール２は、第１および第２シールド体３，５によって二重にシールドされ、さらに第２シールド体５は、配線基板４のグランド部に接続されているので、第１シールド体３は、グランド部に直接接続されるだけではなく、接触部２７および第２シールド体５を介して、グランド部に電気的に接続されている。したがって、第１シールド体３のグランド部への接続を強化することができ、チューナモジュール２に与えられるノイズを抑制することができるので、チューナモジュール２から出力される映像および音声情報が途切れてしまうことを抑制することができる。
【００３１】
第２シールド体５は、第１シールド体３だけではなく、複数の実装部品１７のうちシールドすべき実装部品１７とを覆って配線基板４に形成されているので、シールドすべき実装部品１７からのノイズが、残余の実装部品１７に伝播することを抑制することができるとともに、シールド体を個別に設けるよりも、部品点数を少なくすることができ、組み立て性を向上させることができる。
【図面の簡単な説明】
【００３２】
【図１】チューナモジュールのシールド構造１の構成を示す斜視図である。
【図２】図１の切断面線ＩＩ−ＩＩから見たチューナモジュールのシールド構造１の断面図である。
【図３】接触部２７を拡大して示す断面図である。
【符号の説明】
【００３３】
１  シールド構造
２  チューナモジュール
３  第１シールド体
４  配線基板
４ａ  一表面部
５  第２シールド体
１０  チューナ用基板
１１  信号入出力用の端子
１２  電力供給用の端子
１３  グランド接続用の端子
１６  コネクタ部
１７  実装部品
２７  接触部
【図１】
2009188956.tif 000003
【図２】
2009188956.tif 000004
【図３】
2009188956.tif 000005